(57)【特許請求の範囲】
【請求項１】
撮影画像の表示モードを、連写で撮像された撮影画像の表示に係る連写用表示モードに設定する設定手段と、
撮影画像を前記連写用表示モードで表示させる場合、第１条件で連写により撮像された第１画像群を一覧表示する際の前記第１画像群夫々の表示サイズと前記第１条件と異なる第２条件で連写により撮像された第２画像群を一覧表示する際の前記第２画像群夫々の表示サイズとを異なる表示サイズにおいて、前記第１画像群と前記第２画像群とをディスプレイに一覧表示させ、連写で撮像された第３画像群を前記連写用表示モードで表示させる場合、前記第３画像群のうち所定の条件を満たした第１画像の表示サイズと前記第３画像群のうち前記所定の条件を満たさない第２画像の表示サイズとを異なる表示サイズにおいて、前記第１画像と前記第２画像とを含む前記第３画像群の夫々を同時にディスプレイに表示させ、単写で撮像された撮影画像を表示させる場合、前記連写用表示モードと異なる表示形態により撮像画像をディスプレイ表示させ、単写で撮像された複数の撮影画像を表示させる場合、前記所定の条件に基づく表示サイズの変更を行わず、前記複数の撮影画像の夫々を同時にディスプレイに表示させる表示制御手段と、
を有する画像表示装置。
【請求項２】
撮像装置から前記撮像装置で撮影された撮影画像を受信する受信手段と、
前記受信手段における前記撮影画像の受信間隔に基づいて、撮影画像の表示モードを、前記撮像装置において単写で撮像された撮影画像の表示に係る単写用表示モードか、又は前記撮像装置において連写で撮像された撮影画像の表示に係る連写用表示モードか、に切り替える切替手段と、
撮影画像を連写用表示モードで表示する場合、前記受信間隔に基づいて、表示される画像サイズを変更する変更手段と、
を有する画像表示装置。
【請求項３】
撮影画像を解析する解析手段と、
前記解析手段での前記撮影画像の解析結果に基づいて、表示する画像サイズを変更する変更手段と、
を更に有する請求項１又は２記載の画像表示装置。
【請求項４】
前記解析手段は、前記撮影画像に顔領域が含まれるか否かを判定する請求項３記載の画像表示装置。
【請求項５】
前記解析手段は、前記撮影画像が事前に設定された撮影シーンに対応するか否かを解析する請求項３記載の画像表示装置。
【請求項６】
前記所定の条件は、撮像画像のレーティングに基づく条件である請求項１記載の画像表示装置。
【請求項７】
前記所定の条件は、撮像画像における顔の存在に基づく条件である請求項１記載の画像表示装置。
【請求項８】
前記所定の条件は、撮像画像が撮影された際の撮影パラメータに基づく条件である請求項１記載の画像表示装置。
【請求項９】
前記第１条件と、前記第２条件とは、連写に係るパラメータが異なる請求項１、６乃至８の何れか１項記載の画像表示装置。
【請求項１０】
前記連写に係るパラメータは、連写スピードに基づくパラメータである請求項９記載の画像表示装置。
【請求項１１】
前記連写に係るパラメータは、撮像画像の受信間隔である請求項９記載の画像表示装置。
【請求項１２】
前記表示制御手段は、単写で撮像された撮影画像の表示に係る単写用表示モードである場合、前記複数の撮影画像の一覧を第１表示領域に表示し、前記複数の撮影画像のうち選択された撮影画像を、前記第１表示領域に表示する撮像画像の表示サイズより大きく第２表示領域に表示する請求項１、６乃至１１の何れか１項記載の画像表示装置。
【請求項１３】
前記表示制御手段は、撮像画像の付加情報を表示する請求項１、６乃至１２の何れか１項記載の画像表示装置。
【請求項１４】
前記付加情報は、撮像画像に含まれる顔画像を含む請求項１３記載の画像表示装置。
【請求項１５】
前記付加情報は、撮影画像の撮影パラメータを含む請求項１３記載の画像表示装置。
【請求項１６】
前記付加情報は、撮影画像のヒストグラムを含む請求項１３記載の画像表示装置。
【請求項１７】
前記表示制御手段は、前記連写用表示モードでは、前記付加情報を表示しない請求項１３乃至１６の何れか１項記載の画像表示装置。
【請求項１８】
撮影画像の表示モードを、連写で撮像された撮影画像の表示に係る連写用表示モードに設定する設定ステップと、
撮影画像を前記連写用表示モードで表示させる場合、第１条件で連写により撮像された第１画像群を一覧表示する際の前記第１画像群夫々の表示サイズと前記第１条件と異なる第２条件で連写により撮像された第２画像群を一覧表示する際の前記第２画像群夫々の表示サイズとを異なる表示サイズにおいて、前記第１画像群と前記第２画像群とをディスプレイに一覧表示させ、連写で撮像された第３画像群を前記連写用表示モードで表示させる場合、前記第３画像群のうち所定の条件を満たした第１画像の表示サイズと前記第３画像群のうち前記所定の条件を満たさない第２画像の表示サイズとを異なる表示サイズにおいて、前記第１画像と前記第２画像とを含む前記第３画像群の夫々を同時にディスプレイに表示させ、単写で撮像された撮影画像を表示させる場合、前記連写用表示モードと異なる表示形態により撮像画像をディスプレイ表示させ、単写で撮像された複数の撮影画像を表示させる場合、前記所定の条件に基づく表示サイズの変更を行わず、前記複数の撮影画像の夫々を同時にディスプレイに表示させる表示制御ステップと、
を含む画像表示装置が実行する画像表示方法。
【請求項１９】
撮像装置から前記撮像装置で撮影された撮影画像を受信する受信ステップと、
前記受信ステップにおける前記撮影画像の受信間隔に基づいて、撮影画像の表示モードを、前記撮像装置において単写で撮像された撮影画像の表示に係る単写用表示モードか、又は前記撮像装置において連写で撮像された撮影画像の表示に係る連写用表示モードか、に切り替える切替ステップと、
撮影画像を連写用表示モードで表示する場合、前記受信間隔に基づいて、表示される画像サイズを変更する変更ステップと、
を含む画像表示装置が実行する画像表示方法。
【請求項２０】
請求項１８又は１９記載の画像表示方法の各ステップをコンピュータに実行させるためのプログラム。
【発明の詳細な説明】
【技術分野】
【０００１】
本発明は、画像表示装置、画像表示方法及びプログラムに関する。
【背景技術】
【０００２】
最近、記念写真等を撮影する写真館のスタジオに、カメラマンがデジタルカメラで撮影した撮影画像をパーソナルコンピュータのモニタ上に表示させ、その場で、撮影画像の確認をすることができる撮影システムが導入されている。このような撮影システムでは、カメラマンが撮影の成否を判断するのを支援するために、撮影により得られた撮影画像を取り込んで撮影画像を表示すると共に、撮影画像内の人物の顔を抽出し、抽出した顔の画像を、撮影画像と同一画面上に表示させることができる。
【先行技術文献】
【特許文献】
【０００３】
【特許文献１】特開２００６−１８０４０３公報
【発明の概要】
【発明が解決しようとする課題】
【０００４】
しかし、上記のような撮影支援システムでは、撮影画像を確認可能な表示モードは１種類しか存在しない場合が多い。表示モードが１種類しか存在しない場合、カメラマンが、写真を１枚ずつ撮影し、１枚ずつ確認する場合は問題ない。しかしながら、連写し、複数枚を１度に撮影した場合は、最後に撮影した画像のみが大きく表示され、その他の画像はサムネイル画像をさかのぼって表示しなければ見ることができない。連写をする場合、カメラマンは、１枚の画像を詳細に確認したいというよりも、連写によって得られた撮影画像の全体像を把握したい場合が多く、単写用のモードしかない場合は、カメラマンの意図した確認をすることができない問題があった。
【０００５】
本発明はこのような問題点に鑑みなされたもので、ユーザであるカメラマンの生産性を向上させることが可能な技術を提供することを目的とする。
【課題を解決するための手段】
【０００６】
そこで、本発明の画像表示装置は、撮影画像の表示モードを、連写で撮像された撮影画像の表示に係る連写用表示モードに設定する設定手段と、撮影画像を前記連写用表示モードで表示させる場合、第１条件で連写により撮像された第１画像群を一覧表示する際の前記第１画像群夫々の表示サイズと前記第１条件と異なる第２条件で連写により撮像された第２画像群を一覧表示する際の前記第２画像群夫々の表示サイズとを異なる表示サイズにおいて、前記第１画像群と前記第２画像群とをディスプレイに一覧表示させ、連写で撮像された第３画像群を前記連写用表示モードで表示させる場合、前記第３画像群のうち所定の条件を満たした第１画像の表示サイズと前記第３画像群のうち前記所定の条件を満たさない第２画像の表示サイズとを異なる表示サイズにおいて、前記第１画像と前記第２画像とを含む前記第３画像群の夫々を同時にディスプレイに表示させ、単写で撮像された撮影画像を表示させる場合、前記連写用表示モードと異なる表示形態により撮像画像をディスプレイ表示させ、単写で撮像された複数の撮影画像を表示させる場合、前記所定の条件に基づく表示サイズの変更を行わず、前記複数の撮影画像の夫々を同時にディスプレイに表示させる表示制御手段と、を有する。
【発明の効果】
【０００７】
本発明によれば、ユーザであるカメラマンの生産性を向上させることが可能な技術を提供することができる。
【図面の簡単な説明】
【０００８】
【図１】撮影システムのシステム構成の一例を示す図である。
【図２】撮影画像確認装置のハードウェア構成の一例を示す図である。
【図３】撮影画像確認装置の機能構成（ソフトウェア構成）の一例を示す図である。
【図４】ユーザインタフェースによって表示される画面の一例を示す図である。
【図５】撮影シーン設定部で設定されたデータを保持する設定値テーブルの一例を示す図である。
【図６】ユーザインタフェースによって表示される撮影画像を含む画面の一例を示す図（その１）である。
【図７】ユーザインタフェースによって表示される撮影画像を含む画面の一例を示す図（その２）である。
【図８】ユーザインタフェースによって表示される撮影画像を含む画面の一例を示す図（その３）である。
【図９】ユーザインタフェースによって表示される撮影画像を含む画面の一例を示す図（その４）である。
【図１０】撮影画像確認装置における画像表示処理の一例を示すフローチャートである。
【発明を実施するための形態】
【０００９】
以下、本発明の実施形態について図面に基づいて説明する。
【００１０】
図１は、撮影システムのシステム構成の一例を示す図である。本実施形態の撮影システムは、撮像装置の一例であるカメラ１００、撮影画像確認装置１０１、撮影画像制御装置１０２が、ネットワークを介して接続されている。カメラ１００で撮影された撮影画像は、ネットワークを通じて撮影画像確認装置１０１に転送される。カメラマンは、撮影画像確認装置１０１を使用して撮影画像の確認を行う。確認された画像は、撮影画像確認装置１０１から撮影画像制御装置１０２に転送され、一元的に管理される。なお、図１では、カメラ１００が１台、撮影画像確認装置１０１が１台で表現されているが、撮影画像確認装置１０１は、複数台のカメラ１００と通信可能である。また、撮影画像制御装置１０２は、複数台の撮影画像確認装置１０１と通信可能である。
次に図２を用いて、撮影画像確認装置１０１をＰＣ（パーソナルコンピュータ）等のコンピュータ（コンピュータシステム）で構成した場合のハードウェア構成を説明する。図２は、撮影画像確認装置のハードウェア構成の一例を示す図である。
なお、撮影画像確認装置１０１は、ＰＣ（パーソナルコンピュータ）以外に、下記に示すような装置、又は複数の装置の組合せによっても実現可能である。つまり撮影画像確認装置１０１は、ワークステーション、ノートブックＰＣ、パームトップＰＣ、コンピュータ内蔵のテレビ等の各種家電製品、ゲーム機、電話、ＦＡＸ、携帯電話、ＰＨＳ、電子手帳等を含む端末、又はこれらの組合せによっても実施可能である。
【００１１】
中央演算装置（以下ＣＰＵと記す）２０１は、コンピュータシステムの制御を司る。
ランダムアクセスメモリ（以下、ＲＡＭと記す）２０２は、ＣＰＵ２０１の主メモリとして、及び実行プログラムの領域や該プログラムの実行エリア並びにデータエリアとして機能する。
リードオンリーメモリー（以下、ＲＯＭと記す）２０３には、コンピュータシステムの機器制御を行うシステムプログラムである基本ソフト（ＯＳ）を記録したプログラムＲＯＭとシステムを稼動するために必要な情報等が記録されたデータＲＯＭとがある。ＲＯＭ２０３の代わりに、又はＲＯＭ２０３と共に後述のＨＤＤ２０９を用いる場合もある。
ネットワークインターフェース（以下、ＮＥＴＩＦと記す）２０４は、ネットワークを介してコンピュータシステム間（装置間）のデータ転送を行うための制御や接続状況の診断を行う。
ビデオＲＡＭ（以下、ＶＲＡＭと記す）２０５は、コンピュータシステムの稼動状態を示す後述するＣＲＴ２０６の画面に表示される画像を展開し、その表示の制御を行う。
【００１２】
表示装置（以下、ＣＲＴと記す）２０６は、例えば、ディスプレイである。
ＫＢＣ２０７は、後述する外部入力装置２０８からの入力信号を制御するコントローラである。
外部入力装置（以下、ＫＢと記す）２０８は、コンピュータシステムの利用者がコンピュータシステムに対して行う操作を受け付けるための外部入力装置であり、例えば、キーボード等である。
ハードディスク（以下、ＨＤＤと記す）２０９は、記憶装置を示す。ＨＤＤ２０９は、アプリケーションプログラムや、撮影画像、設定値テーブル、設定ファイル等のデータ保存用に用いられる。
外部入出力装置（以下、ＦＤＤと記す）２１０は、記憶媒体からのアプリケーションプログラムの読み出し等に用いられる。
なお、ＨＤＤ２０９に格納するアプリケーションプログラムやデータをＦＤＤ２１０に格納して使用することもできる。
入出力バス（アドレスバス、データバス、及び制御バス）２００は、上述した各ユニット間を接続する。
ＣＰＵ２０１が、ＨＤＤ２０９又は記憶媒体等に記憶されているプログラムをＲＡＭ２０２に読み出し、実行することによって、後述する撮影画像確認装置１０１の機能及び後述するフローチャートに係る処理が実現される。
【００１３】
図３は、撮影画像確認装置の機能構成（ソフトウェア構成）の一例を示す図である。
ユーザインタフェース３００は、カメラマン等のユーザからの入力の受付と表示とを司る。撮影画像確認モード切替部３０１は、カメラ１００からの撮影画像の到着間隔（受信間隔）に基づいて、表示モード（確認モード）を切り替える。撮影画像到着間隔判断部３０２は、カメラ１００からの撮影画像の到着間隔を判断する。撮影シーン設定部３０３は、撮影シーン毎の各種撮影パラメータを管理し、カメラ１００に対して撮影パラメータを設定する。レーティング変更部３０４は、撮影画像のレーティング（カメラマンによる評価値）を変更する。
単写時画像確認部３０５は、カメラ１００からの撮影画像の到着間隔が長く単写であると判断される場合の画像の確認手段を提供する。連写時画像確認部３１０は、カメラ１００からの撮影画像の到着間隔が短く連写であると判断される場合の画像の確認手段を提供する。撮影画像解析部３１２は、撮影画像を解析する。メッセージ送受信部３１６は、カメラ１００や撮影画像制御装置１０２とメッセージの送受信を行う。なお、メッセージ送受信部３１６は、メッセージを送受信する際には、インターネットプロトコル（ＩＰ）を用いる。メッセージ送受信部３１６は、ＩＰのバージョンとして、ＩＰｖ４とＩＰｖ６との双方を使用することができる。また、メッセージ送受信部３１６は、通信経路として、有線或いは無線を用いることができる。メッセージ送受信部３１６は、更にＴＣＰ、ＵＤＰ、ＨＴＴＰ、ＳＭＴＰ、ＳＮＭＰ、ＦＴＰ等の通信プロトコルを用いる場合もある。
【００１４】
単写時画像確認部３０５は、撮影画像表示部３０６、単写時サムネイル画像表示部３０７、顔領域表示部３０８、撮影パラメータ表示部３０９を構成として含む。
撮影画像表示部３０６は、Ｆｉｔ画像を表示する。単写時サムネイル画像表示部３０７は、単写時にサムネイル画像を表示する。顔領域表示部３０８は、顔領域画像を表示する。撮影パラメータ表示部３０９は、撮影パラメータやヒストグラムを表示する。
また、連写時画像確認部３１０は、連写時サムネイル画像表示部３１１を構成として含む。連写時サムネイル画像表示部３１１は、連写時にサムネイル画像を表示する。
また、撮影画像解析部３１２は、撮影パラメータ解析部３１３、ヒストグラム解析部３１４、顔領域検出部３１５を構成として含む。
撮影パラメータ解析部３１３は、撮影画像の撮影パラメータが事前に設定したものと同じであるかどうかを解析する。ヒストグラム解析部３１４は、撮影画像のヒストグラムを生成する。顔領域検出部３１５は、撮影画像から顔領域を検出する。
また、メッセージ送受信部３１６は、メッセージ送信部３１７、メッセージ受信部３１８を構成として含む。
メッセージ送信部３１７は、メッセージを送信する。メッセージ受信部３１８は、メッセージを受信する。
【００１５】
図４は、ユーザインタフェースによって表示される画面の一例を示す図である。図４は、例えば、撮影シーン設定部３０３等によって、ユーザインタフェース３００を介して撮影準備時に表示される画面である。カメラマン等のユーザは、撮影対象である顧客の受付ＩＤを受付ＩＤテキストボックス４００に入力する。次にユーザは、使用カメラリスト４０１に表示されているカメラに対して撮影シーンを選択する。この選択は、ユーザが例えばＫＢ２０８等を介して画面に表示されている撮影シーンドロップダウンリスト４０２を操作することによってなされる。次に、ユーザが、例えばＫＢ２０８等を介して撮影開始ボタン４０３を押下する。ユーザによるこれら一連の操作に基づいて、撮影シーン設定部３０３は、撮影シーン毎の撮影パラメータを決定し、選択されているカメラに対して撮影パラメータを設定する。
【００１６】
図５は、撮影シーン設定部で設定されたデータを保持する設定値テーブルの一例を示す図である。設定値テーブルは、設定項目として、撮影シーン５００毎に、ＩＳＯ感度５０１、Ａｖ値５０２、Ｔｖ値５０３等を有している。なお、この設定値テーブルの設定項目、及び設定値は一例である。
図６は、ユーザインタフェースによって表示される撮影画像を含む画面の一例を示す図（その１）である。
図６は、撮影画像確認モード切替部３０１が、カメラマンが単写で撮影している判断した場合に、単写時画像確認部３０５により、ユーザインタフェース３００を介して表示される画面の一例である。カメラマン等のユーザが撮影した撮影画像がカメラ１００から、撮影画像確認装置１０１に転送される。すると撮影画像確認装置１０１は、撮影画像表示部３０６の画像表示処理によりユーザインタフェース３００を介して撮影画像表示パネル６０４に撮影画像を表示する。そして、単写時サムネイル画像表示部３０７により撮影画像のサムネイル画像を、ユーザインタフェース３００を介して単写時サムネイル画像表示パネル６０３に表示する。
【００１７】
そして、撮影画像確認装置１０１は、顔領域検出部３１５において顔領域検出処理を行う。そして、顔領域表示部３０８は、ユーザインタフェース３００を介して顔領域検出部３１５で抽出された顔領域画像を顔領域画像表示パネル６０５に表示する。そして、撮影画像の撮影パラメータを撮影パラメータ解析部３１３で解析し、解析結果を、ユーザインタフェース３００を介して撮影パラメータ表示リスト６０２に表示する。そして、撮影画像のヒストグラムをヒストグラム解析部３１４で解析し、ヒストグラム解析部３１４が解析結果を、ユーザインタフェース３００を介してヒストグラム表示パネル６０１に表示する。そして、現在の撮影画像がどのカメラで撮影されたものなのかを、例えば撮影画像解析部３１２が、ユーザインタフェース３００を介して撮影カメラリスト６００に表示する。
ここまでの一連の表示処理が終了した段階で、撮影画像は、撮影画像確認装置１０１から撮影画像制御装置１０２に転送される。また、カメラマンは、表示された撮影画像及びその他の情報を基に撮影画像を評価し、レーティング変更ボタン６０６を操作して、画像のレートを決定する。決定されたレートは、レーティング変更部３０４で管理される。
【００１８】
図７は、ユーザインタフェースによって表示される撮影画像を含む画面の一例を示す図（その２）である。図７は、撮影画像確認モード切替部３０１が、カメラマンが連写で撮影していると判断した場合に、連写時画像確認部３１０により、ユーザインタフェース３００を介して表示される画面の一例である。カメラマン等のユーザが撮影した撮影画像がカメラ１００から、撮影画像確認装置１０１に転送される。すると撮影画像確認装置１０１は、連写時サムネイル画像表示部３１１により撮影画像のサムネイル画像を、ユーザインタフェース３００を介して連写時サムネイル画像表示パネルに表示する。
そして、撮影画像確認装置１０１は、顔領域検出部３１５において顔領域検出処理を行う。しかし、撮影画像確認装置１０１は、連写時には、顔領域画像の表示は行わない。これは、後に単写に切り替わった場合、若しくは、ユーザが意図的に表示モードを連写モードから単写モードに切り替えた場合、すぐに表示できるように、顔領域検出部３１５が領域検出のみを行うためである。そして、撮影画像の撮影パラメータを撮影パラメータ解析部３１３が解析する。しかし、撮影画像確認装置１０１は、顔領域検出と同様の理由により、撮影パラメータの表示は行わない。そして、撮影画像のヒストグラムをヒストグラム解析部３１４が解析する。しかし、撮影画像確認装置１０１は、顔領域検出と同様の理由により、ヒストグラムの表示は行わない。
ここまでの一連の処理が終了した段階で、撮影画像確認装置１０１は、撮影画像を、撮影画像制御装置１０２に転送する。また、カメラマンは、表示された撮影画像及びその他の情報を基に画像を評価し、レーティング変更ボタン７０１を操作し、画像のレートを決定する。決定されたレートは、レーティング変更部３０４で管理される。
【００１９】
図８は、ユーザインタフェースによって表示される撮影画像を含む画面の一例を示す図（その３）である。図７は、画像が第１の規定値より短い間隔で到着し、撮影画像確認モード切替部３０１が、カメラマンが連写で撮影していると判断した場合の画面の一例である。図８は、更に、撮影画像到着間隔判断部３０２により、画像の到着間隔が第１の規定値より短い第２の規定値より短いと判断された場合に、連写時画像確認部３１０により、ユーザインタフェース３００を介して表示される画面の一例である。
連写が行われていると判断され、更に画像の到着間隔が規定値より短いと判定される場合、連写時サムネイル画像表示部３１１は、サムネイル画像のサイズを小さくする。そして、連写時サムネイル画像表示部３１１は、連写時サムネイル画像表示パネルで、より多くの枚数の撮影画像を表示できるようにする。なお、本実施例では、サムネイル画像が１段階小さくなっているだけであるが、画像の到着間隔の規定値は、複数設定することができる。つまり、連写時サムネイル画像表示部３１１は、多段階のサムネイル画像のサイズを用いてより詳細に画像の到着間隔に応じたサムネイル画像表示サイズの変更を行うことができる。
【００２０】
図９は、ユーザインタフェースによって表示される撮影画像を含む画面の一例を示す図（その４）である。図９は、撮影画像確認モード切替部３０１が、カメラマンが連写で撮影していると判断した場合であり、更に、画像評価（画像の解析結果）によりサムネイル画像のサイズを変更すると設定してある場合の画面の一例である。この場合、撮影画像確認装置１０１は、カメラ１００から転送された撮影画像に対して、顔が存在するか、及び、撮影パラメータは事前に設定した撮影シーンに適合（対応）しているかを評価する。この２点を満たしている場合、連写時サムネイル画像表示部３１１は、サムネイル画像のサイズを通常サイズに表示する。なお通常とは、図８で示した画像の到着間隔に応じた表示サイズのことである。満たしていない項目が存在する場合、連写時サムネイル画像表示部３１１は、通常サイズより１段階小さいサムネイル画像のサイズに変更し表示する。
また、レーティング変更部３０４により管理されているレートが低い場合、連写時サムネイル画像表示部３１１は、レートに合わせてサムネイル画像のサイズを変更してもよい。なお、上述した例で示した画像評価は、顔領域の有無、撮影パラメータの適合の２点であるが、連写時サムネイル画像表示部３１１は、その他に、露出、ピント等、その他の評価項目によりサムネイル画像のサイズを変更してもよい。また、本実施形態では、連写時の表示モードのみに画像評価におけるサイズの変更を述べた。しかしながら、単写時サムネイル画像表示部３０７が、画像評価に基づいて、サイズの変更を行い、単写時サムネイル画像表示パネル６０３に表示するようにしてもよい。
【００２１】
図１０は、撮影画像確認装置における画像表示処理の一例を示すフローチャートである。なお、以下では説明の簡略化のため、ＣＰＵ２０１が処理を行うものとして説明を行う。
まず、処理開始後、ステップＳ１０００において、ＣＰＵ２０１は、図４の撮影準備画面を表示する。カメラマン等のユーザは、受付ＩＤテキストボックス４００に受付ＩＤを入力すると共に、撮影シーンドロップダウンリスト４０２からカメラ毎の撮影シーンを選択する。そして、ユーザは、撮影開始ボタン４０３を押下する。ＣＰＵ２０１は、これら一連のユーザの操作に基づいて、カメラに対して選択された撮影シーンに設定されている撮影パラメータを送信する。
そして、ステップＳ１００１において、ＣＰＵ２０１は、図６の単写表示モード、若しくは、図７の連写表示モードの画面を表示する。このとき、ＣＰＵ２０１は、初期設定として設定されている表示モードの画面を表示する。
そして、ステップＳ１００２において、ＣＰＵ２０１は、カメラ１００からの撮影画像の受信若しくはアプリケーションの終了のイベントを待つ。
ＣＰＵ２０１は、ステップＳ１００２においてカメラから撮影画像を受信したと判定された場合、ステップＳ１００３において、カメラ１００から撮影画像を受信する。
そして、ステップＳ１００４において、ＣＰＵ２０１は、例えば撮影画像等に添付されている撮影パラメータを解析する。
そして、ステップＳ１００５において、ＣＰＵ２０１は、撮影画像から顔領域を検出する。
そして、ステップＳ１００６において、ＣＰＵ２０１は、撮影画像に対してヒストグラム解析を行う。
【００２２】
そして、ステップＳ１００７において、ＣＰＵ２０１は、撮影画像が１枚目かどうかを判定する。１枚目であると判定した場合、撮影間隔の算出ができないため、ＣＰＵ２０１は、ステップＳ１００８において、初期設定の表示モードで撮影画像を表示する。
ステップＳ１００７において、１枚目ではないと判定した場合、ＣＰＵ２０１は、ステップＳ１００９において、撮影画像の到着間隔（撮影間隔）を算出する。
そして、ステップＳ１０１０において、ＣＰＵ２０１は、撮影画像の到着間隔が第１の規定値以下か否かに基づき、単写であるか連写であるか判定し、判定結果に応じて撮影画像の表示モードの切り替えを行う。
ステップＳ１０１０において単写であると判定した場合、ＣＰＵ２０１は、ステップＳ１０１１において、図６の単写時画像確認画面に示すように、単写用確認モード（単写用表示モード）で画像を表示する。
ステップＳ１０１０において連写であると判定した場合、ＣＰＵ２０１は、ステップＳ１０１２において、図７の連写時画像確認画面に示すように、連写用確認モード（連写用表示モード）で画像を表示する。
そして、ステップＳ１０１３において、ＣＰＵ２０１は、連写時の詳細な画像の到着間隔を判定する。つまり、ＣＰＵ２０１は、画像の到着間隔が設定されている第２の規定値以下、即ち高速な連写であるか否かを判定する。
ステップＳ１０１３において、第２の規定値以下、即ち高速な連写であると判定した場合、ＣＰＵ２０１は、その撮影間隔に応じてサムネイル画像のサイズを変更する。その結果、画像は図８のように表示される。
【００２３】
そして、ステップＳ１０１５において、ＣＰＵ２０１は、設定ファイル等に画像評価に応じてサムネイル画像のサイズを変更する設定がなされているか否かに基づき、画像評価に応じてサムネイル画像のサイズを変更するかどうかを判定する。
ステップＳ１０１５で変更しないと判定した場合、ＣＰＵ２０１は、ステップＳ１００２のイベント待ちの処理に戻る。
ステップＳ１０１５で変更すると判定した場合、ＣＰＵ２０１は、ステップＳ１０１６の処理を実行する。つまりＣＰＵ２０１は、例えば、ステップＳ１００４で抽出された撮影パラメータがステップＳ１０００で選択された撮影シーンに適合する撮影パラメータか否か、及び、ステップＳ１００５で顔領域が検出されたか否かに応じてサムネイル画像のサイズを変更する。なお、カメラマンによって、レートが設定されている場合、ＣＰＵ２０１は、上記条件に加え、レートに応じてサムネイル画像のサイズを変更するようにしてもよい。その結果、画像は図９のように表示される。なお、単写の場合で、サムネイル画像のサイズを変更する場合、ＣＰＵ２０１は、図６に示される単写時サムネイル画像表示パネル６０３において、変更したサイズのサムネイル画像を表示する。
そして、ＣＰＵ２０１は、ステップＳ１００２のイベント待ちの処理に戻る。
ステップＳ１００２において、終了が選択されたと判定された場合、ＣＰＵ２０１は、図１０に示す画像表示処理を終了する。
【００２４】
＜その他の実施形態＞
なお、本発明は、上述した実施形態の機能を、装置の中央演算処理手段（ＣＰＵ）が、ソフトウェアのプログラムコードを記憶媒体から読み出して実行することで実現することができる。更に、読み出したプログラムコードの指示に基づき、オペレーティングシステム（ＯＳ）等が実際の処理の一部又は全部を行うことで上述した実施形態の機能が実現される場合も上述した実施形態に含まれる。
【００２５】
以上、上述した各実施形態によれば、撮影画像確認装置１０１は、単写用の表示モードと連写用の表示モードを用意し、カメラからの画像の到着間隔（撮影間隔）に応じて、自動的に表示モードを切り替えることができる。したがって、カメラマンは、カメラマンの撮影スタイルに合わせて画像の確認を行うことができる。また、撮影画像確認装置１０１は、連写モードにおいては、連写の間隔に応じてサムネイル画像のサイズを変更したり、画像評価の結果に応じてサムネイル画像のサイズを変更したりすることができる。したがって、連写時にカメラマンが簡単に撮影状況を把握することができる。
よって、上述した各実施形態によれば、ユーザであるカメラマンの生産性を向上させることが可能な技術を提供することができる。
【００２６】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００２７】
１００  カメラ、１０１  撮影画像確認装置、１０２  撮影画像制御装置
【図１】
0005489636.tif 000002
【図２】
0005489636.tif 000003
【図３】
0005489636.tif 000004
【図４】
0005489636.tif 000005
【図５】
0005489636.tif 000006
【図６】
0005489636.tif 000007
【図７】
0005489636.tif 000008
【図８】
0005489636.tif 000009
【図９】
0005489636.tif 000010
【図１０】
0005489636.tif 000011